【手続補正書】
【提出日】平成16年2月5日(2004.2.5)
【手続補正１】
【補正対象書類名】明細書
【補正対象項目名】特許請求の範囲
【補正方法】変更
【補正の内容】
【特許請求の範囲】
【請求項１】
画像処理装置であって、
画像データを取得する取得手段と、
前記取得された画像データと関連付けられていると共に、前記画像データの画像処理条件を指定する画像処理制御情報を検索する検索手段と、
前記画像処理制御情報が検索された場合には、前記画像データを解析して、前記画像処理制御情報を用いた画像処理を実行すべきか否かを判定する判定手段と、
前記画像処理制御情報を用いた画像処理を実行すべきと判定された場合には、前記画像処理制御情報を用いた画像処理を推奨する推奨手段とを備える画像処理装置。
【請求項２】
画像処理装置であって、
画像データを取得する取得手段と、
前記取得された画像データと関連付けられていると共に、前記画像データの画像処理条件を指定する画像処理制御情報を用いて画像処理を実行すべきか否かを判定するための判定情報を検索する検索手段と、
前記判定情報が検索された場合には、前記判定情報に基づいて、前記画像処理制御情報の利用を推奨すべきか否かを決定する決定手段と、
前記画像処理制御情報を用いた画像処理を推奨すべきであると決定された場合には、前記画像処理制御情報を用いた画像処理を推奨する推奨手段と、
前記画像処理制御情報を用いた画像処理または前記画像処理制御情報を用いない画像処理のいずれかを実行する画像処理手段とを備える画像処理装置。
【請求項３】
請求項２に記載の画像処理装置において、
前記判定情報は、前記画像データに含まれる画像データ値の内、所定の表色域の領域外に存在する領域外画像データ値量に関する情報であり、
前記決定手段は、前記領域外画像データ値量に基づいて前記画像処理制御情報の利用を推奨するか否かを決定する画像処理装置。
【請求項４】
請求項２に記載の画像処理装置において、
前記判定情報は、前記画像処理制御情報の利用を推奨するか否かを示す符号情報であり、
前記決定手段は、前記符号情報に従って前記画像処理制御情報の利用を推奨するか否かを決定する画像処理装置。
【請求項５】
画像データに基づく画像を表示装置上に表示する表示プログラムであって、
前記画像データを取得して、表示する機能と、
前記取得した画像データと関連付けられていると共に、画像データの画像処理条件を指定する画像処理制御情報を用いた画像処理を実行すべきか否かを判定するための判定情報を検索する機能と、
前記判定情報を検出した場合には、前記判定情報に基づいて前記画像処理制御情報の利用を推奨すべきか否かを決定する機能と、
前記画像処理制御情報を用いた画像処理を推奨すべきであると決定した場合には、前記画像処理制御情報を用いた画像処理を推奨する機能とをコンピュータによって実現させる表示プログラム。
【請求項６】
請求項５に記載の表示プログラムはさらに、
前記画像データに基づく画像を出力する印刷装置が前記画像処理制御情報を用いた画像処理に対応しているか否かを判定する機能と、
前記印刷装置が前記画像処理制御情報を用いた画像処理に対応していないと判定した場合には、前記画像処理制御情報の利用を推奨すべきか否かの決定にかかわらず、前記画像処理制御情報を用いた画像処理を推奨する機能を実現させない機能とをコンピュータによって実現させる表示プログラム。
【請求項７】
画像データに基づく画像を表示装置上に表示する表示プログラムに組み込まれ、画像データの画像処理条件を指定する画像処理制御情報を用いた画像処理を実行すべきか否かを判定するプログラムであって、
前記表示プログラムによって表示されている画像データに関連付けられている前記判定情報を検索する機能と、
前記判定情報を検出した場合には、前記判定情報に基づいて前記画像処理制御情報の利用を推奨すべきか否かを決定する機能と、
前記画像処理制御情報を用いた画像処理を推奨すべきであると決定した場合には、前記画像処理制御情報を用いた画像処理を推奨する表示を表示させる機能とをコンピュータによって実現させるプログラム。
【請求項８】
請求項７に記載のプログラムはさらに、
前記画像データに基づく画像を出力する印刷装置が前記画像処理制御情報を用いた画像処理に対応しているか否かを判定する機能と、
前記印刷装置が前記画像処理制御情報を用いた画像処理に対応していないと判定した場合には、前記画像処理制御情報の利用を推奨すべきか否かの決定にかかわらず、前記画像処理制御情報を用いた画像処理を推奨する機能を実現させない機能とをコンピュータによって実現させるプログラム。
【請求項９】
画像データに基づく画像を表示装置上に表示する表示プログラムに組み込まれ、画像データの画像処理条件を指定する画像処理制御情報を用いた画像処理を実行すべきか否かを判定するプログラムであって、
前記表示プログラムによって表示されている画像データの画像データ値を画素毎に取得する機能と、
前記取得した画像データ値に基づいて前記画像処理制御情報の利用を推奨すべきか否かを決定する機能と、
前記画像処理制御情報を用いた画像処理を推奨すべきであると決定した場合には、前記画像処理制御情報を用いた画像処理を推奨する表示を表示させる機能とをコンピュータによって実現させるプログラム。
【請求項１０】
表示装置上に表示される画像の表示色が被写体の色を正しく表示しているか否かを判定する表示色判定装置であって、
画像データを取得する画像データ取得手段と、
前記取得された画像データに含まれる画像データ値の内、所定の表色域の領域外に存在する領域外画像データ値量に関する領域外画像データ値情報を取得する情報取得手段と、
前記取得された領域外画像データ値情報に基づいて表示画像の表示色が正しく表示されるか否かを判定する判定手段と、
前記表示画像の表示色が正しく表示されないと判定された場合には、表示色が正確でない旨を報知する報知手段とを備える表示色判定装置。
【請求項１１】
請求項１０に記載の表示色判定装置において、
前記画像データには、画像処理装置における前記画像データの画像処理条件を指定する画像処理制御情報が関連付けられており、
前記領域外画像データ値情報は、前記画像処理制御情報に含まれている表示色判定装置。
【請求項１２】
画像データに基づく画像を表示装置上に表示する表示プログラムに組み込まれ、表示装置上に表示される画像の表示色が被写体の色を正しく表示しているか否かを判定するプログラムであって、
前記表示プログラムによって表示されている画像データの画像データ値を画素毎に取得する機能と、
前記取得した画像データ値に基づいて表示画像の表示色が正しく表示されるか否かを判定する機能と、
前記表示画像の表示色が正しく表示されないと判定した場合には、表示色が正確でない旨を報知する機能とをコンピュータによって実現させるプログラム。
【請求項１３】
画像データの画像処理条件を指定する画像処理制御情報を用いた画像処理を実行すべきか否かを判定するための判定情報を生成する判定情報生成装置であって、
前記画像データを取得する画像データ取得手段と、
前記取得した画像データに含まれる画像データ値を画素毎に取得するデータ値取得手段と、
前記取得した画像データ値に基づいて前記判定情報を生成する判定情報生成手段と、
前記判定情報と前記画像データとを関連付けて出力する出力手段とを備える判定情報生成装置。
【請求項１４】
請求項１３に記載の判定情報生成装置において、
前記判定情報は、前記画像データに含まれる画像データ値の内、所定の表色域の領域外に存在する領域外画像データ値量に関する情報である判定情報生成装置。
【請求項１５】
請求項１４に記載の判定情報生成装置において、
前記領域外画像データ値量に関する情報は、全画像データ値量に対する前記領域外画像データ値量の割合を示す情報である判定情報生成装置。
【請求項１６】
請求項１４または請求項１５に記載の判定情報生成装置において、
前記所定の表色域は、ｓＲＧＢ色空間に対応する表色域である判定情報生成装置。
【請求項１７】
請求項１３に記載の判定情報生成装置において、
前記判定情報は、前記画像データに含まれる負の画像データ値量に関する情報である判定情報生成装置。
【請求項１８】
請求項１３に記載の判定情報生成装置において、
前記判定情報は、前記画像処理制御情報の利用を推奨するか否かを示す符号情報である判定情報生成装置。
【請求項１９】
請求項１６ないし請求項１８のいずれかに記載の判定情報生成装置において、
前記出力手段は、前記判定情報と前記画像データとを格納する画像ファイルとして前記判定情報と前記画像データとを関連付けて出力する判定情報生成装置。
【請求項２０】
画像処理装置であって、
処理対象となる画像データを取得する画像データ取得手段と、
前記取得した画像データを解析する画像データ解析手段と、
前記解析結果と前記画像データとを関連付けて出力する出力手段とを備える画像処理装置。
【請求項２１】
請求項２０に記載の画像処理装置において、
前記解析結果は、前記画像データを構成する画素データ値の内、所定の表色域の領域外に存在する領域外画素データ値量に関する情報である画像処理装置。
【請求項２２】
請求項２０または請求項２１に記載の画像処理装置において、
前記出力手段は、前記画像データと前記解析結果を同一のファイルに格納して出力する画像処理装置。
【請求項２３】
画像データ生成装置であって、
画像データを生成する画像データ生成手段と、
前記生成した画像データを解析する画像データ解析手段と、
前記解析結果と前記画像データとを関連付けて出力する出力手段とを備える画像処理装置。
【請求項２４】
請求項２３に記載の画像データ生成装置において、
前記出力手段は、前記解析結果を、前記画像データの画像処理条件を指定する画像処理制御情報の一部として、前記画像データに関連付ける画像データ生成装置。
【請求項２５】
請求項２３に記載の画像データ生成装置において、
前記出力手段は、前記画像データと前記解析結果を同一のファイルに格納して出力する画像データ生成装置。